【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
ワイヤレス電気通信ネットワークにおいてモバイルデバイスの通信状態を変更するための方法であって、
前記モバイルデバイス上で実行しているアプリケーションによるネットワークトラフィックアクティビティをモニタすることと、
デバイストラフィック非アクティビティタイマの満了に基づいて、ネットワーク接続の使用がいつ終了したかを決定することと、
前記ネットワーク接続の使用が終了したと決定したことに応答して、前記アプリケーションに代わって前記ネットワーク接続の解放を要求するための接続解放メッセージを前記ワイヤレス電気通信ネットワークに送ることと、
前記デバイストラフィック非アクティビティタイマを更新することと
を備え、
ユーザが前記モバイルデバイスとインタラクションしているかどうかを決定することと、
前記ユーザが前記モバイルデバイスとインタラクションしているかどうかに基づいて前記デバイストラフィック非アクティビティタイマの持続時間を設定することは、前記ユーザが前記モバイルデバイスとインタラクションしていないとき、前記ユーザが前記モバイルデバイスとインタラクションしているときよりも、前記デバイストラフィック非アクティビティタイマの短い持続時間を設定することを備える、
をさらに備える、方法。
【請求項２】
デバイストラフィック非アクティビティタイマの満了に基づいて前記ネットワーク接続の使用がいつ終了したかを決定することは、前記モバイルデバイス上のすべてのアプリケーションのために使用される単一のデバイストラフィック非アクティビティタイマの満了に基づいて、前記ネットワーク接続の使用がいつ終了したかを決定することを備える、
請求項１に記載の方法。
【請求項３】
デバイストラフィック非アクティビティタイマの満了に基づいて前記ネットワーク接続の使用がいつ終了したかを決定することは、複数のデバイストラフィック非アクティビティタイマの満了に基づいて、前記ネットワーク接続の使用がいつ終了したかを決定することを備え、前記複数のデバイストラフィック非アクティビティタイマの各々は、前記モバイルデバイス上で実行している異なるアプリケーションの非アクティビティのタイミングをとる、
請求項１に記載の方法。
【請求項４】
前記複数のデバイストラフィック非アクティビティタイマのうちの少なくとも１つは、特定のアプリケーションによるネットワークアクティビティイベントの頻度に基づいて選択された前記モバイルデバイス上で実行している前記特定のアプリケーションの非アクティビティのタイミングをとり、および／または
２つ以上のアプリケーションが同時に動作しているかどうかを決定することをさらに備え、デバイストラフィック非アクティビティタイマに基づいて前記ネットワーク接続の使用がいつ終了したかを決定することは、２つ以上のアプリケーションが同時に動作しているとき、前記複数のデバイストラフィック非アクティビティタイマのすべてがいつ満了したかを決定することを備える、
請求項３に記載の方法。
【請求項５】
前記複数のデバイストラフィック非アクティビティタイマのうちの前記少なくとも２つが異なる持続時間の後に満了し、前記方法は、
ユーザが前記モバイルデバイスとインタラクションしているかどうかを決定することと、
前記ユーザが前記モバイルデバイスとインタラクションしているかどうかに基づいて、前記複数のデバイストラフィック非アクティビティタイマのうちの１つを選択することと
をさらに備え、および、オプションとして、
前記ユーザが前記モバイルデバイスとインタラクションしているかどうかに基づいて前記複数のデバイストラフィック非アクティビティタイマのうちの１つを選択することは、前記ユーザが前記モバイルデバイスとインタラクションしていないと決定したことに応答して、より短い持続時間をもつ前記複数のデバイストラフィック非アクティビティタイマのうちの１つを選択することと、前記ユーザが前記モバイルデバイスとインタラクションしていると決定したことに応答して、より長い持続時間をもつ前記複数のデバイストラフィック非アクティビティタイマのうちの１つを選択することと
を備える、請求項３に記載の方法。
【請求項６】
前記アプリケーションが前記ワイヤレス電気通信ネットワークを介した永続的エンドツーエンド接続を有するかどうかを決定することと、
ｉ）前記アプリケーションが永続的接続を有しないと決定すること、およびｉｉ）前記接続が解放されるべきであることを示す信号を前記アプリケーションから受信することに応答して、前記ワイヤレス電気通信ネットワークへの前記接続解放メッセージの送信を短い遅延だけ遅延させることと
をさらに備え、および、オプションとして、
前記接続が解放されるべきであることを示す信号を前記アプリケーションから受信することと、
前記接続が継続中のサービスのために使用されているかどうかを決定することと、
前記接続が継続中のサービスのために使用されていると決定したことに応答して、前記継続中のサービスのための次回の周期イベントが、ネットワーク非アクティビティタイマのネットワークタイムアウト時間の後に行われるようにスケジュールされるかどうかを決定することと、
前記次回の周期イベントが前記ネットワークタイムアウト時間の後に行われると決定したことに応答して前記接続解放メッセージを送ることと
をさらに備える、請求項１に記載の方法。
【請求項７】
前記デバイストラフィック非アクティビティタイマを更新することが、
スライディング時間ウィンドウ中に前記アプリケーションによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って前記デバイストラフィック非アクティビティタイマの値を更新することと
を備え、および、オプションとして、
前記ワイヤレス電気通信ネットワークまでのラウンドトリップ時間に基づいて前記トラフィック間間隔統計値を調整することをさらに備える、
請求項１に記載の方法。
【請求項８】
前記デバイストラフィック非アクティビティタイマを更新することは、
スライディング時間ウィンドウ中にアプリケーションのグループによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って、アプリケーションの前記グループに関連する前記デバイストラフィック非アクティビティタイマの値を更新することと
を備える、請求項１に記載の方法。
【請求項９】
前記デバイストラフィック非アクティビティタイマを更新することは、
ネットワーク接続解放の前の要求が、ネットワーク接続が解放されるべきであると正しく決定したかどうかを決定することと、
ネットワーク接続解放の前記前の要求が前記ネットワーク接続を早期に解放したと決定したことに応答して、前記デバイストラフィック非アクティビティタイマ値を増加させることと、
電力を節約するために前記ネットワーク接続を解放する機会が喪失されるような長い持続時間に前記タイマが前に設定されたと決定したことに応答して、前記デバイストラフィック非アクティビティタイマ値を減少させることと
を備える、請求項１に記載の方法。
【請求項１０】
前記デバイストラフィック非アクティビティタイマを更新することは、ネットワーク接続解放の前の要求は、前記ネットワーク接続が解放されるべきであると正しく決定したと決定したことに応答して、前記デバイストラフィック非アクティビティタイマ値を減少させることをさらに備え、および、オプションとして、
ネットワーク接続解放の前記前の要求が前記ネットワーク接続を早期に解放したと決定したことに応答して、前記デバイストラフィック非アクティビティタイマ値を増加させることは、前記デバイストラフィック非アクティビティタイマ値を第１の量だけ増加させることを備え、
前記モバイルデバイスが、前記ネットワーク接続を解放する機会を前に喪失したと決定したことに応答して、前記デバイストラフィック非アクティビティタイマ値を減少させることは、前記デバイストラフィック非アクティビティタイマ値を第２の量だけ減少させることを備え、
前記第２の量は、前記第１の量よりも小さい、
請求項９に記載の方法。
【請求項１１】
ネットワーク接続解放結果の１つまたは複数の要求から早期解放判定の観測レートを計算することと、
早期解放判定の目標レートと早期解放判定の前記観測レートとの間の差を計算すること、それは、ネットワーク事業者によって設定されたパラメータか、あるいはアプリケーション開発者またはユーザによって適用された設定である、と、
早期解放判定の前記観測レートと早期解放判定の前記目標レートとの間の前記計算された差に基づいて前記デバイストラフィック非アクティビティタイマを更新することと
をさらに備える、請求項１に記載の方法。
【請求項１２】
ネットワーク接続解放結果の１つまたは複数の要求から早期解放判定の前記観測レートを計算することが、ネットワーク接続解放の固定数の要求の結果から早期解放判定の前記観測レートを計算することを備え、および／または、
ネットワーク接続解放結果の１つまたは複数の要求から早期解放判定の前記観測レートを計算することは、ネットワーク接続解放の過去の要求のすべての結果から早期解放判定の前記観測レートを計算することを備え、および／または、
ネットワーク接続解放結果の１つまたは複数の要求から早期解放判定の前記観測レートを計算することは、前記観測時間ウィンドウ内のネットワーク接続解放の要求の結果から早期解放判定の前記観測レートを計算することを備える、
請求項１１に記載の方法。
【請求項１３】
早期解放判定の前記観測レートと早期解放判定の前記目標レートとの間の前記計算された差に基づいて前記デバイストラフィック非アクティビティタイマを更新することは、早期解放判定の前記観測レートと早期解放判定の前記目標レートとの間の前記計算された前記差に比例して前記デバイストラフィック非アクティビティタイマを更新することを備え、および、オプションとして、
早期解放判定の前記観測レートと早期解放判定の前記目標レートとの間の前記計算された差に基づいて前記デバイストラフィック非アクティビティタイマを更新することは、早期解放判定の前記観測レートと早期解放判定の前記目標レートとの間の前記計算された前記差に基づく固定ファクタによって前記デバイストラフィック非アクティビティタイマを更新することを備え、または、
早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に基づく時間変動ファクタによって前記デバイストラフィック非アクティビティタイマを更新することを備え、および任意選択で、
前記時間変動ファクタが、早期解放判定の前記観測レートと早期解放判定の前記目標レートとの間の前記差に従って決定される、
請求項１１に記載の方法。
【請求項１４】
モバイルデバイス上で実行しているアプリケーションによるネットワークトラフィックアクティビティをモニタするための手段と、
デバイストラフィック非アクティビティタイマの満了に基づいて、ネットワーク接続の使用がいつ終了したかを決定するための手段と、
前記ネットワーク接続の使用が終了したと決定したことに応答して、前記アプリケーションに代わってネットワーク接続の解放前記を要求するための接続解放メッセージをワイヤレス電気通信ネットワークに送るための手段と、
前記デバイストラフィック非アクティビティタイマを更新するための手段と
を備え、
ユーザが前記モバイルデバイスとインタラクションしているかどうかを決定するための手段と、
前記ユーザが前記モバイルデバイスとインタラクションしているかどうかに基づいて前記デバイストラフィック非アクティビティタイマの持続時間を設定するための手段は、前記ユーザが前記モバイルデバイスとインタラクションしていないとき、前記ユーザが前記モバイルデバイスとインタラクションしているときよりも、前記デバイストラフィック非アクティビティタイマの短い持続時間を設定するための手段を備える、
をさらに備える、モバイルデバイス。
【請求項１５】
モバイルデバイスプロセッサに、請求項１乃至１３のうちの任意の１項のステップを実行させるように構成されたプロセッサ実行可能命令を記憶した非一時的プロセッサ可読記憶媒体。
【手続補正２】
【補正対象書類名】明細書
【補正対象項目名】００９８
【補正方法】変更
【補正の内容】
【００９８】
[0111]開示した実施形態の上記の説明は、当業者が本発明を製作または使用できるように提供したものである。これらの実施形態に対する様々な変更は当業者には容易に明らかであり、本明細書で定義した一般原理は、本発明の趣旨または範囲から逸脱することなく他の実施形態に適用され得る。したがって、本発明は、本明細書で示した実施形態に限定されるものではなく、以下の特許請求の範囲ならびに本明細書で開示する原理および新規の特徴に合致する最も広い範囲を与えられるべきである。
以下に、本願出願の当初の特許請求の範囲に記載された発明を付記する。
［Ｃ１］
ワイヤレス電気通信ネットワークにおいてモバイルデバイスの通信状態を変更するための方法であって、
前記モバイルデバイス上で実行しているアプリケーションによるネットワークトラフィックアクティビティをモニタすることと、
デバイストラフィック非アクティビティタイマの満了に基づいて、ネットワーク接続の使用がいつ終了したかを決定することと、
前記ネットワーク接続の使用が終了したと決定したことに応答して、前記アプリケーションに代わって前記ネットワーク接続の解放を要求するための接続解放メッセージを前記ワイヤレス電気通信ネットワークに送ることと、
前記デバイストラフィック非アクティビティタイマを更新することと
を備える、方法。
［Ｃ２］
デバイストラフィック非アクティビティタイマの満了に基づいて前記ネットワーク接続の使用がいつ終了したかを決定することは、前記モバイルデバイス上のすべてのアプリケーションのために使用される単一のデバイストラフィック非アクティビティタイマの満了に基づいて、前記ネットワーク接続の使用がいつ終了したかを決定することを備える、
Ｃ１に記載の方法。
［Ｃ３］
デバイストラフィック非アクティビティタイマの満了に基づいて前記ネットワーク接続の使用がいつ終了したかを決定することは、複数のデバイストラフィック非アクティビティタイマの満了に基づいて、前記ネットワーク接続の使用がいつ終了したかを決定することを備え、前記複数のデバイストラフィック非アクティビティタイマの各々は、前記モバイルデバイス上で実行している異なるアプリケーションの非アクティビティのタイミングをとる、
Ｃ１に記載の方法。
［Ｃ４］
前記複数のデバイストラフィック非アクティビティタイマのうちの少なくとも１つは、特定のアプリケーションによるネットワークアクティビティイベントの頻度に基づいて選択された前記モバイルデバイス上で実行している前記特定のアプリケーションの非アクティビティのタイミングをとる、
Ｃ３に記載の方法。
［Ｃ５］
２つ以上のアプリケーションが同時に動作しているかどうかを決定することをさらに備え、デバイストラフィック非アクティビティタイマに基づいて前記ネットワーク接続の使用がいつ終了したかを決定することは、２つ以上のアプリケーションが同時に動作しているとき、前記複数のデバイストラフィック非アクティビティタイマのすべてがいつ満了したかを決定することを備える、
Ｃ３に記載の方法。
［Ｃ６］
前記複数のデバイストラフィック非アクティビティタイマのうちの前記少なくとも２つが異なる持続時間の後に満了し、前記方法は、
ユーザが前記モバイルデバイスとインタラクションしているかどうかを決定することと、
前記ユーザが前記モバイルデバイスとインタラクションしているかどうかに基づいて、前記複数のデバイストラフィック非アクティビティタイマのうちの１つを選択することと
をさらに備える、Ｃ３に記載の方法。
［Ｃ７］
前記ユーザが前記モバイルデバイスとインタラクションしているかどうかに基づいて前記複数のデバイストラフィック非アクティビティタイマのうちの１つを選択することは、前記ユーザが前記モバイルデバイスとインタラクションしていないと決定したことに応答して、より短い持続時間をもつ前記複数のデバイストラフィック非アクティビティタイマのうちの１つを選択することと、前記ユーザが前記モバイルデバイスとインタラクションしていると決定したことに応答して、より長い持続時間をもつ前記複数のデバイストラフィック非アクティビティタイマのうちの１つを選択することと
を備える、Ｃ６に記載の方法。
［Ｃ８］
ユーザが前記モバイルデバイスとインタラクションしているかどうかを決定することと、前記ユーザが前記モバイルデバイスとインタラクションしているかどうかに基づいて、前記デバイストラフィック非アクティビティタイマの持続時間を設定することと
をさらに備える、Ｃ１に記載の方法。
［Ｃ９］
前記ユーザが前記モバイルデバイスとインタラクションしているかどうかに基づいて前記デバイストラフィック非アクティビティタイマの持続時間を設定することは、前記ユーザが前記モバイルデバイスとインタラクションしていないとき、前記ユーザが前記モバイルデバイスとインタラクションしているときよりも、前記デバイストラフィック非アクティビティタイマの短い持続時間を設定することを備える、
Ｃ８に記載の方法。
［Ｃ１０］
前記アプリケーションが前記ワイヤレス電気通信ネットワークを介した永続的エンドツーエンド接続を有するかどうかを決定することと、
ｉ）前記アプリケーションが永続的接続を有しないと決定すること、およびｉｉ）前記接続が解放されるべきであることを示す信号を前記アプリケーションから受信することに応答して、前記ワイヤレス電気通信ネットワークへの前記接続解放メッセージの送信を短い遅延だけ遅延させることと
をさらに備える、Ｃ１に記載の方法。
［Ｃ１１］
前記接続が解放されるべきであることを示す信号を前記アプリケーションから受信することと、
前記接続が継続中のサービスのために使用されているかどうかを決定することと、
前記接続が継続中のサービスのために使用されていると決定したことに応答して、前記継続中のサービスのための次回の周期イベントが、ネットワーク非アクティビティタイマのネットワークタイムアウト時間の後に行われるようにスケジュールされるかどうかを決定することと、
前記次回の周期イベントが前記ネットワークタイムアウト時間の後に行われると決定したことに応答して前記接続解放メッセージを送ることと
をさらに備える、Ｃ１０に記載の方法。
［Ｃ１２］
前記デバイストラフィック非アクティビティタイマを更新することが、
スライディング時間ウィンドウ中に前記アプリケーションによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って前記デバイストラフィック非アクティビティタイマの値を更新することと
を備える、Ｃ１に記載の方法。
［Ｃ１３］
前記ワイヤレス電気通信ネットワークまでのラウンドトリップ時間に基づいて前記トラフィック間間隔統計値を調整することをさらに備える、
Ｃ１２に記載の方法。
［Ｃ１４］
前記デバイストラフィック非アクティビティタイマを更新することは、
スライディング時間ウィンドウ中にアプリケーションのグループによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って、アプリケーションの前記グループに関連する前記デバイストラフィック非アクティビティタイマの値を更新することと
を備える、Ｃ１に記載の方法。
［Ｃ１５］
前記デバイストラフィック非アクティビティタイマを更新することは、
ネットワーク接続解放の前の要求が、ネットワーク接続が解放されるべきであると正しく決定したかどうかを決定することと、
ネットワーク接続解放の前記前の要求が前記ネットワーク接続を早期に解放したと決定したことに応答して、前記デバイストラフィック非アクティビティタイマ値を増加させることと、
前記モバイルデバイスが、前記ネットワーク接続を解放する機会を前に喪失したと決定したことに応答して、前記デバイストラフィック非アクティビティタイマ値を減少させることと
を備える、Ｃ１に記載の方法。
［Ｃ１６］
前記デバイストラフィック非アクティビティタイマを更新することは、ネットワーク接続解放の前の要求は、前記ネットワーク接続が解放されるべきであると正しく決定したと決定したことに応答して、前記デバイストラフィック非アクティビティタイマ値を減少させることをさらに備える、
Ｃ１５に記載の方法。
［Ｃ１７］
ネットワーク接続解放の前記前の要求が前記ネットワーク接続を早期に解放したと決定したことに応答して、前記デバイストラフィック非アクティビティタイマ値を増加させることは、前記デバイストラフィック非アクティビティタイマ値を第１の量だけ増加させることを備え、
前記モバイルデバイスが、前記ネットワーク接続を解放する機会を前に喪失したと決定したことに応答して、前記デバイストラフィック非アクティビティタイマ値を減少させることは、前記デバイストラフィック非アクティビティタイマ値を第２の量だけ減少させることを備え、
前記第２の量は、前記第１の量よりも小さい、
Ｃ１５に記載の方法。
［Ｃ１８］
早期解放判定の目標レートを決定することと、
ネットワーク接続解放結果の１つまたは複数の要求から早期解放判定の観測レートを計算することと、
早期解放判定の前記観測レートと早期解放判定の前記目標レートとの間の差を計算することと、
早期解放判定の前記観測レートと早期解放判定の前記目標レートとの間の前記計算された差に基づいて前記デバイストラフィック非アクティビティタイマを更新することと
をさらに備える、Ｃ１に記載の方法。
［Ｃ１９］
ネットワーク接続解放結果の１つまたは複数の要求から早期解放判定の前記観測レートを計算することが、ネットワーク接続解放の固定数の要求の結果から早期解放判定の前記観測レートを計算することを備える、
Ｃ１８に記載の方法。
［Ｃ２０］
ネットワーク接続解放結果の１つまたは複数の要求から早期解放判定の前記観測レートを計算することは、ネットワーク接続解放の過去の要求のすべての結果から早期解放判定の前記観測レートを計算することを備える、
Ｃ１８に記載の方法。
［Ｃ２１］
ネットワーク接続解放結果の１つまたは複数の要求から早期解放判定の前記観測レートを計算することは、前記観測時間ウィンドウ内のネットワーク接続解放の要求の結果から早期解放判定の前記観測レートを計算することを備える、
Ｃ１８に記載の方法。
［Ｃ２２］
早期解放判定の前記観測レートと早期解放判定の前記目標レートとの間の前記計算された差に基づいて前記デバイストラフィック非アクティビティタイマを更新することは、早期解放判定の前記観測レートと早期解放判定の前記目標レートとの間の前記計算された前記差に比例して前記デバイストラフィック非アクティビティタイマを更新することを備える、
Ｃ１８に記載の方法。
［Ｃ２３］
早期解放判定の前記観測レートと早期解放判定の前記目標レートとの間の前記計算された差に基づいて前記デバイストラフィック非アクティビティタイマを更新することは、早期解放判定の前記観測レートと早期解放判定の前記目標レートとの間の前記計算された前記差に基づく固定ファクタによって前記デバイストラフィック非アクティビティタイマを更新することを備える、
Ｃ２２に記載の方法。
［Ｃ２４］
早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に基づく時間変動ファクタによって前記デバイストラフィック非アクティビティタイマを更新することを備える、
Ｃ２２に記載の方法。
［Ｃ２５］
前記時間変動ファクタが、早期解放判定の前記観測レートと早期解放判定の前記目標レートとの間の前記差に従って決定される、
Ｃ２４に記載の方法。
［Ｃ２６］
ワイヤレス電気通信ネットワークとの通信接続を確立するように構成されたワイヤレストランシーバと、
前記ワイヤレストランシーバに結合されたプロセッサと
を備える、モバイルデバイスであって、前記プロセッサは、
前記モバイルデバイス上で実行しているアプリケーションによるネットワークトラフィックアクティビティをモニタすることと、
デバイストラフィック非アクティビティタイマの満了に基づいて、ネットワーク接続の使用がいつ終了したかを決定することと、
前記ネットワーク接続の使用が終了したと決定したことに応答して、前記アプリケーションに代わってネットワーク接続の解放前記を要求するための接続解放メッセージを前記ワイヤレス電気通信ネットワークに送ることと、
前記デバイストラフィック非アクティビティタイマを更新することと
を備える動作を実行するためのプロセッサ実行可能命令で構成された、モバイルデバイス。
［Ｃ２７］
前記プロセッサは、デバイストラフィック非アクティビティタイマの満了に基づいて前記ネットワーク接続の使用がいつ終了したかを決定することが、前記モバイルデバイス上のすべてのアプリケーションのために使用される単一のデバイストラフィック非アクティビティタイマの満了に基づいて、前記ネットワーク接続の使用がいつ終了したかを決定することを備えるような動作を実行するためのプロセッサ実行可能命令で構成された、
Ｃ２６に記載のモバイルデバイス。
［Ｃ２８］
前記プロセッサは、デバイストラフィック非アクティビティタイマの満了に基づいて前記ネットワーク接続の使用がいつ終了したかを決定することが、複数のデバイストラフィック非アクティビティタイマの満了に基づいて、前記ネットワーク接続の使用がいつ終了したかを決定することを備えるような動作を実行するためのプロセッサ実行可能命令で構成され、ここにおいて、前記複数のデバイストラフィック非アクティビティタイマの各々が、前記モバイルデバイス上で実行している異なるアプリケーションの非アクティビティのタイミングをとる、
Ｃ２６に記載のモバイルデバイス。
［Ｃ２９］
前記プロセッサは、前記複数のデバイストラフィック非アクティビティタイマのうちの少なくとも１つが、特定のアプリケーションによるネットワークアクティビティイベントの頻度に基づいて選択された前記モバイルデバイス上で実行している前記特定のアプリケーションの非アクティビティのタイミングをとるような動作を実行するためのプロセッサ実行可能命令で構成された、
Ｃ２８に記載のモバイルデバイス。
［Ｃ３０］
前記プロセッサは、２つ以上のアプリケーションが同時に動作しているかどうかを決定することをさらに備える動作を実行するためのプロセッサ実行可能命令で構成され、
ここにおいて、前記プロセッサは、デバイストラフィック非アクティビティタイマに基づいて前記ネットワーク接続の使用がいつ終了したかを決定することが、２つ以上のアプリケーションが同時に動作しているとき、前記複数のデバイストラフィック非アクティビティタイマのすべてがいつ満了したかを決定することを備えるような動作を実行するためのプロセッサ実行可能命令で構成された、
Ｃ２８に記載のモバイルデバイス。
［Ｃ３１］
前記プロセッサは、前記複数のデバイストラフィック非アクティビティタイマのうちの前記少なくとも２つが異なる持続時間の後に満了するような動作を実行するためのプロセッサ実行可能命令で構成され、
ここにおいて、前記プロセッサは、
ユーザが前記モバイルデバイスとインタラクションしているかどうかを決定することと、
前記ユーザが前記モバイルデバイスとインタラクションしているかどうかに基づいて、前記複数のデバイストラフィック非アクティビティタイマのうちの１つを選択することと
をさらに備える動作を実行するためのプロセッサ実行可能命令で構成された、Ｃ２８に記載のモバイルデバイス。
［Ｃ３２］
前記プロセッサは、前記ユーザが前記モバイルデバイスとインタラクションしているかどうかに基づいて前記複数のデバイストラフィック非アクティビティタイマのうちの１つを選択することが、前記ユーザが前記モバイルデバイスとインタラクションしていないと決定したことに応答して、より短い持続時間をもつ前記複数のデバイストラフィック非アクティビティタイマのうちの１つを選択することと、前記ユーザが前記モバイルデバイスとインタラクションしていると決定したことに応答して、より長い持続時間をもつ前記複数のデバイストラフィック非アクティビティタイマのうちの１つを選択することと
を備えるような動作を実行するためのプロセッサ実行可能命令で構成された、Ｃ２６に記載のモバイルデバイス。
［Ｃ３３］
前記プロセッサは、
ユーザが前記モバイルデバイスとインタラクションしているかどうかを決定することと、
前記ユーザが前記モバイルデバイスとインタラクションしているかどうかに基づいて、前記デバイストラフィック非アクティビティタイマの持続時間を設定することと
をさらに備える動作を実行するためのプロセッサ実行可能命令で構成された、Ｃ２６に記載のモバイルデバイス。
［Ｃ３４］
前記プロセッサは、前記ユーザが前記モバイルデバイスとインタラクションしているかどうかに基づいて前記デバイストラフィック非アクティビティタイマの持続時間を設定することが、前記ユーザが前記モバイルデバイスとインタラクションしていないとき、前記ユーザが前記モバイルデバイスとインタラクションしているときよりも、前記デバイストラフィック非アクティビティタイマの短い持続時間を設定することを備えるような
動作を実行するためのプロセッサ実行可能命令で構成された、Ｃ３３に記載のモバイルデバイス。
［Ｃ３５］
前記プロセッサは、
前記アプリケーションが前記ワイヤレス電気通信ネットワークを介した永続的エンドツーエンド接続を有するかどうかを決定することと、
ｉ）前記アプリケーションが永続的接続を有しないと決定したこと、およびｉｉ）前記接続が解放されるべきであることを示す信号を前記アプリケーションから受信したことに応答して、前記ワイヤレス電気通信ネットワークへの前記接続解放メッセージの送信を短い遅延だけ遅延させることと
をさらに備える動作を実行するためのプロセッサ実行可能命令で構成された、Ｃ２６に記載のモバイルデバイス。
［Ｃ３６］
前記プロセッサは、
前記接続が解放されるべきであることを示す信号を前記アプリケーションから受信することと、
前記接続が継続中のサービスのために使用されているかどうかを決定することと、
前記接続が継続中のサービスのために使用されていると決定したことに応答して、前記継続中のサービスのための次回の周期イベントが、ネットワーク非アクティビティタイマのネットワークタイムアウト時間の後に行われるようにスケジュールされるかどうかを決定することと、
前記次回の周期イベントが前記ネットワークタイムアウト時間の後に行われると決定したことに応答して前記接続解放メッセージを送ることと
をさらに備える動作を実行するためのプロセッサ実行可能命令で構成された、Ｃ３５に記載のモバイルデバイス。
［Ｃ３７］
前記プロセッサは、前記デバイストラフィック非アクティビティタイマを更新することが、
スライディング時間ウィンドウ中に前記アプリケーションによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って前記デバイストラフィック非アクティビティタイマの値を更新することと
を備えるような動作を実行するためのプロセッサ実行可能命令で構成された、Ｃ２６に記載のモバイルデバイス。
［Ｃ３８］
前記プロセッサは、前記ワイヤレス電気通信ネットワークまでのラウンドトリップ時間に基づいて前記トラフィック間間隔統計値を調整することをさらに備える
動作を実行するためのプロセッサ実行可能命令で構成された、Ｃ３７に記載のモバイルデバイス。
［Ｃ３９］
前記プロセッサは、前記デバイストラフィック非アクティビティタイマを更新することが、
スライディング時間ウィンドウ中にアプリケーションのグループによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って、アプリケーションの前記グループに関連する前記デバイストラフィック非アクティビティタイマの値を更新することと
を備えるような動作を実行するためのプロセッサ実行可能命令で構成された、Ｃ２６に記載のモバイルデバイス。
［Ｃ４０］
前記プロセッサは、前記デバイストラフィック非アクティビティタイマを更新することが、
ネットワーク接続解放の前の要求が、ネットワーク接続が解放されるべきであると正しく決定したかどうかを決定することと、
ネットワーク接続解放の前記前の要求が前記ネットワーク接続を早期に解放したと決定したことに応答して、前記デバイストラフィック非アクティビティタイマ値を増加させることと、
前記モバイルデバイスが、前記ネットワーク接続を解放する機会を前に喪失したと決定したことに応答して、前記デバイストラフィック非アクティビティタイマ値を減少させることと
を備えるような動作を実行するためのプロセッサ実行可能命令で構成された、Ｃ２６に記載のモバイルデバイス。
［Ｃ４１］
前記プロセッサは、前記デバイストラフィック非アクティビティタイマを更新することが、ネットワーク接続解放の前の要求が、前記ネットワーク接続が解放されるべきであると正しく決定したと決定したことに応答して、前記デバイストラフィック非アクティビティタイマ値を減少させることをさらに備えるような
動作を実行するためのプロセッサ実行可能命令で構成された、Ｃ４０に記載のモバイルデバイス。
［Ｃ４２］
前記プロセッサは、
ネットワーク接続解放の前記前の要求が前記ネットワーク接続を早期に解放したと決定したことに応答して、前記デバイストラフィック非アクティビティタイマ値を増加させることが、前記デバイストラフィック非アクティビティタイマ値を第１の量だけ増加させることを備え、
前記モバイルデバイスが、前記ネットワーク接続を解放する機会を前に喪失したと決定したことに応答して、前記デバイストラフィック非アクティビティタイマ値を減少させることが、前記デバイストラフィック非アクティビティタイマ値を第２の量だけ減少させることを備えるような動作を実行するためのプロセッサ実行可能命令で構成され、
前記第２の量が前記第１の量よりも小さい、
Ｃ４０に記載のモバイルデバイス。
［Ｃ４３］
前記プロセッサは、
早期解放判定の目標レートを決定することと、
ネットワーク接続解放結果の１つまたは複数の要求から早期解放判定の観測レートを計算することと、
早期解放判定の前記観測レートと早期解放判定の前記目標レートとの間の差を計算することと、
早期解放判定の前記観測レートと早期解放判定の前記目標レートとの間の前記計算された差に基づいて前記デバイストラフィック非アクティビティタイマを更新することと
をさらに備える動作を実行するためのプロセッサ実行可能命令で構成された、Ｃ２６に記載のモバイルデバイス。
［Ｃ４４］
前記プロセッサは、ネットワーク接続解放結果の１つまたは複数の要求から早期解放判定の前記観測レートを計算することが、ネットワーク接続解放の固定数の要求の結果から早期解放判定の前記観測レートを計算することを備えるような
動作を実行するためのプロセッサ実行可能命令で構成された、Ｃ４３に記載のモバイルデバイス。
［Ｃ４５］
前記プロセッサは、ネットワーク接続解放結果の１つまたは複数の要求から早期解放判定の前記観測レートを計算することが、ネットワーク接続解放の過去の要求のすべての結果から早期解放判定の前記観測レートを計算することを備えるような
動作を実行するためのプロセッサ実行可能命令で構成された、Ｃ４３に記載のモバイルデバイス。
［Ｃ４６］
前記プロセッサは、ネットワーク接続解放結果の１つまたは複数の要求から早期解放判定の前記観測レートを計算することが、前記観測時間ウィンドウ内のネットワーク接続解放の要求の結果から早期解放判定の前記観測レートを計算することを備えるような
動作を実行するためのプロセッサ実行可能命令で構成された、Ｃ４３に記載のモバイルデバイス。
［Ｃ４７］
前記プロセッサは、早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に比例して前記デバイストラフィック非アクティビティタイマを更新することを備えるような
動作を実行するためのプロセッサ実行可能命令で構成された、Ｃ４３に記載のモバイルデバイス。
［Ｃ４８］
前記プロセッサは、早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に基づく固定ファクタによって前記デバイストラフィック非アクティビティタイマを更新することを備えるような
動作を実行するためのプロセッサ実行可能命令で構成された、Ｃ４７に記載のモバイルデバイス。
［Ｃ４９］
前記プロセッサは、早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に基づく時間変動ファクタによって前記デバイストラフィック非アクティビティタイマを更新することを備えるような
動作を実行するためのプロセッサ実行可能命令で構成された、Ｃ４７に記載のモバイルデバイス。
［Ｃ５０］
前記プロセッサは、前記時間変動ファクタが、早期解放判定の前記観測レートと早期解放判定の前記目標レートとの間の前記差に従って決定されるような
動作を実行するためのプロセッサ実行可能命令で構成された、Ｃ４９に記載のモバイルデバイス。
［Ｃ５１］
前記モバイルデバイス上で実行しているアプリケーションによるネットワークトラフィックアクティビティをモニタするための手段と、
デバイストラフィック非アクティビティタイマの満了に基づいて、ネットワーク接続の使用がいつ終了したかを決定するための手段と、
前記ネットワーク接続の使用が終了したと決定したことに応答して、前記アプリケーションに代わってネットワーク接続の解放前記を要求するための接続解放メッセージをワイヤレス電気通信ネットワークに送るための手段と、
前記デバイストラフィック非アクティビティタイマを更新するための手段と
を備える、モバイルデバイス。
［Ｃ５２］
デバイストラフィック非アクティビティタイマの満了に基づいて前記ネットワーク接続の使用がいつ終了したかを決定するための手段は、前記モバイルデバイス上のすべてのアプリケーションのために使用される単一のデバイストラフィック非アクティビティタイマの満了に基づいて、前記ネットワーク接続の使用がいつ終了したかを決定するための手段を備える、
Ｃ５１に記載のモバイルデバイス。
［Ｃ５３］
デバイストラフィック非アクティビティタイマの満了に基づいて前記ネットワーク接続の使用がいつ終了したかを決定するための手段は、複数のデバイストラフィック非アクティビティタイマの満了に基づいて、前記ネットワーク接続の使用がいつ終了したかを決定するための手段を備え、ここにおいて、前記複数のデバイストラフィック非アクティビティタイマの各々が、前記モバイルデバイス上で実行している異なるアプリケーションの非アクティビティのタイミングをとる、
Ｃ５１に記載のモバイルデバイス。
［Ｃ５４］
前記複数のデバイストラフィック非アクティビティタイマのうちの少なくとも１つが、特定のアプリケーションによるネットワークアクティビティイベントの頻度に基づいて選択された前記モバイルデバイス上で実行している前記特定のアプリケーションの非アクティビティのタイミングをとる、
Ｃ５３に記載のモバイルデバイス。
［Ｃ５５］
２つ以上のアプリケーションが同時に動作しているかどうかを決定するための手段をさらに備え、
ここにおいて、デバイストラフィック非アクティビティタイマに基づいて前記ネットワーク接続の使用がいつ終了したかを決定するための手段は、２つ以上のアプリケーションが同時に動作しているとき、前記複数のデバイストラフィック非アクティビティタイマのすべてがいつ満了したかを決定するための手段を備える、
Ｃ５３に記載のモバイルデバイス。
［Ｃ５６］
前記複数のデバイストラフィック非アクティビティタイマのうちの前記少なくとも２つが異なる持続時間の後に満了し、前記モバイルデバイスは、
ユーザが前記モバイルデバイスとインタラクションしているかどうかを決定するための手段と、
前記ユーザが前記モバイルデバイスとインタラクションしているかどうかに基づいて、前記複数のデバイストラフィック非アクティビティタイマのうちの１つを選択するための手段と
をさらに備える、Ｃ５３に記載のモバイルデバイス。
［Ｃ５７］
ユーザが前記モバイルデバイスとインタラクションしているかどうかに基づいて前記複数のデバイストラフィック非アクティビティタイマのうちの１つを選択するための手段は、前記ユーザが前記モバイルデバイスとインタラクションしていないと決定したことに応答して、より短い持続時間をもつ前記複数のデバイストラフィック非アクティビティタイマのうちの１つを選択するための手段と、前記ユーザが前記モバイルデバイスとインタラクションしていると決定したことに応答して、より長い持続時間をもつ前記複数のデバイストラフィック非アクティビティタイマのうちの１つを選択することと
を備える、Ｃ５１に記載のモバイルデバイス。
［Ｃ５８］
ユーザが前記モバイルデバイスとインタラクションしているかどうかを決定するための手段と、前記ユーザが前記モバイルデバイスとインタラクションしているかどうかに基づいて、前記デバイストラフィック非アクティビティタイマの持続時間を設定するための手段と
をさらに備える、Ｃ５１に記載のモバイルデバイス。
［Ｃ５９］
前記ユーザが前記モバイルデバイスとインタラクションしているかどうかに基づいて前記デバイストラフィック非アクティビティタイマの持続時間を設定するための手段は、前記ユーザが前記モバイルデバイスとインタラクションしていないとき、前記ユーザが前記モバイルデバイスとインタラクションしているときよりも、前記デバイストラフィック非アクティビティタイマの短い持続時間を設定するための手段を備える、
Ｃ５８に記載のモバイルデバイス。
［Ｃ６０］
前記アプリケーションが前記ワイヤレス電気通信ネットワークを介した永続的エンドツーエンド接続を有するかどうかを決定するための手段と、
ｉ）前記アプリケーションが永続的接続を有しないと決定したこと、およびｉｉ）前記接続が解放されるべきであることを示す信号を前記アプリケーションから受信したことに応答して、前記ワイヤレス電気通信ネットワークへの前記接続解放メッセージの送信を短い遅延だけ遅延させるための手段と
をさらに備える、Ｃ５１に記載のモバイルデバイス。
［Ｃ６１］
前記接続が解放されるべきであることを示す信号を前記アプリケーションから受信するための手段と、
前記接続が継続中のサービスのために使用されているかどうかを決定するための手段と、
前記接続が継続中のサービスのために使用されていると決定したことに応答して、前記継続中のサービスのための次回の周期イベントが、ネットワーク非アクティビティタイマのネットワークタイムアウト時間の後に行われるようにスケジュールされるかどうかを決定するための手段と、
前記次回の周期イベントが前記ネットワークタイムアウト時間の後に行われると決定したことに応答して前記接続解放メッセージを送るための手段と
をさらに備える、Ｃ６０に記載のモバイルデバイス。
［Ｃ６２］
前記デバイストラフィック非アクティビティタイマを更新するための手段が、
スライディング時間ウィンドウ中に前記アプリケーションによるアプリケーショントラフィックをモニタするための手段と、
前記スライディング時間ウィンドウ内の前記アプリケーショントラフィックに基づいてトラフィック間間隔統計値を計算するための手段と、
前記計算されたトラフィック間間隔統計値に従って前記デバイストラフィック非アクティビティタイマの値を更新するための手段と
を備える、Ｃ５１に記載のモバイルデバイス。
［Ｃ６３］
前記ワイヤレス電気通信ネットワークまでのラウンドトリップ時間に基づいて前記トラフィック間間隔統計値を調整するための手段をさらに備える、
Ｃ６２に記載のモバイルデバイス。
［Ｃ６４］
前記デバイストラフィック非アクティビティタイマを更新するための手段は、
スライディング時間ウィンドウ中にアプリケーションのグループによるアプリケーショントラフィックをモニタするための手段と、
前記スライディング時間ウィンドウ内の前記アプリケーショントラフィックに基づいてトラフィック間間隔統計値を計算するための手段と、
前記計算されたトラフィック間間隔統計値に従って、アプリケーションの前記グループに関連する前記デバイストラフィック非アクティビティタイマの値を更新するための手段と
を備える、Ｃ５１に記載のモバイルデバイス。
［Ｃ６５］
前記デバイストラフィック非アクティビティタイマを更新するための手段は、
ネットワーク接続解放の前の要求が、ネットワーク接続が解放されるべきであると正しく決定したかどうかを決定するための手段と、
ネットワーク接続解放の前記前の要求が前記ネットワーク接続を早期に解放したと決定したことに応答して、前記デバイストラフィック非アクティビティタイマ値を増加させるための手段と、
前記モバイルデバイスが、前記ネットワーク接続を解放する機会を前に喪失したと決定したことに応答して、前記デバイストラフィック非アクティビティタイマ値を減少させるための手段と
を備える、Ｃ５１に記載のモバイルデバイス。
［Ｃ６６］
前記デバイストラフィック非アクティビティタイマを更新するための手段は、ネットワーク接続解放の前の要求が、前記ネットワーク接続が解放されるべきであると正しく決定したと決定したことに応答して、前記デバイストラフィック非アクティビティタイマ値を減少させるための手段をさらに備える、
Ｃ６５に記載のモバイルデバイス。
［Ｃ６７］
ネットワーク接続解放の前記前の要求が前記ネットワーク接続を早期に解放したと決定したことに応答して、前記デバイストラフィック非アクティビティタイマ値を増加させるための手段は、前記デバイストラフィック非アクティビティタイマ値を第１の量だけ増加させるための手段を備え、
前記モバイルデバイスが、前記ネットワーク接続を解放する機会を前に喪失したと決定したことに応答して、前記デバイストラフィック非アクティビティタイマ値を減少させるための手段は、前記デバイストラフィック非アクティビティタイマ値を第２の量だけ減少させるための手段を備え、
前記第２の量は、前記第１の量よりも小さい、
Ｃ６５に記載のモバイルデバイス。
［Ｃ６８］
早期解放判定の目標レートを決定するための手段と、
ネットワーク接続解放結果の１つまたは複数の要求から早期解放判定の観測レートを計算するための手段と、
早期解放判定の前記観測レートと早期解放判定の前記目標レートとの間の差を計算するための手段と、
早期解放判定の前記観測レートと早期解放判定の前記目標レートとの間の前記計算された差に基づいて前記デバイストラフィック非アクティビティタイマを更新するための手段と
さらに備える、Ｃ５１に記載のモバイルデバイス。
［Ｃ６９］
ネットワーク接続解放結果の１つまたは複数の要求から早期解放判定の前記観測レートを計算するための手段が、ネットワーク接続解放の固定数の要求の前記結果から早期解放判定の前記観測レートを計算するための手段を備える、
Ｃ６８に記載のモバイルデバイス。
［Ｃ７０］
ネットワーク接続解放結果の１つまたは複数の要求から早期解放判定の前記観測レートを計算するための手段が、ネットワーク接続解放の過去の要求のすべての結果から早期解放判定の前記観測レートを計算するための手段を備える、
Ｃ６８に記載のモバイルデバイス。
［Ｃ７１］
ネットワーク接続解放結果の１つまたは複数の要求から早期解放判定の前記観測レートを計算するための手段が、前記観測時間ウィンドウ内のネットワーク接続解放の要求の前記結果から早期解放判定の前記観測レートを計算するための手段を備える、
Ｃ６８に記載のモバイルデバイス。
［Ｃ７２］
早期解放判定の前記観測レートと早期解放判定の前記目標レートとの間の前記計算された差に基づいて前記デバイストラフィック非アクティビティタイマを更新するための手段が、早期解放判定の前記観測レートと早期解放判定の前記目標レートとの間の前記計算された前記差に比例して前記デバイストラフィック非アクティビティタイマを更新することを備える、
Ｃ６８に記載のモバイルデバイス。
［Ｃ７３］
早期解放判定の前記観測レートと早期解放判定の前記目標レートとの間の前記計算された差に基づいて前記デバイストラフィック非アクティビティタイマを更新するための手段が、早期解放判定の前記観測レートと早期解放判定の前記目標レートとの間の前記計算された前記差に基づく固定ファクタによって前記デバイストラフィック非アクティビティタイマを更新するための手段を備える、
Ｃ７２に記載のモバイルデバイス。
［Ｃ７４］
早期解放判定の前記観測レートと早期解放判定の前記目標レートとの間の前記計算された差に基づいて前記デバイストラフィック非アクティビティタイマを更新するための手段が、早期解放判定の前記観測レートと早期解放判定の前記目標レートとの間の前記計算された前記差に基づく時間変動ファクタによって前記デバイストラフィック非アクティビティタイマを更新するための手段を備える、
Ｃ７２に記載のモバイルデバイス。
［Ｃ７５］
早期解放判定の前記観測レートと早期解放判定の前記目標レートとの間の前記差に従って前記時間変動ファクタを決定するための手段をさらに備える、
Ｃ７４に記載のモバイルデバイス。
［Ｃ７６］
モバイルデバイスプロセッサに、
前記モバイルデバイス上で実行しているアプリケーションによるネットワークトラフィックアクティビティをモニタすることと、
デバイストラフィック非アクティビティタイマの満了に基づいて、ネットワーク接続の使用がいつ終了したかを決定することと、
前記ネットワーク接続の使用が終了したと決定したことに応答して、前記アプリケーションに代わって前記ネットワーク接続の解放を要求するための接続解放メッセージをワイヤレス電気通信ネットワークに送ることと、
前記デバイストラフィック非アクティビティタイマを更新することと
を備える動作を実行させるように構成されたプロセッサ実行可能命令を記憶した非一時的プロセッサ可読記憶媒体。
［Ｃ７７］
前記記憶されたプロセッサ実行可能命令は、モバイルデバイスプロセッサに、デバイストラフィック非アクティビティタイマの満了に基づいて前記ネットワーク接続の使用がいつ終了したかを決定することは、前記モバイルデバイス上のすべてのアプリケーションのために使用される単一のデバイストラフィック非アクティビティタイマの満了に基づいて、前記ネットワーク接続の使用がいつ終了したかを決定することを備えるような動作を実行させるように構成された、
Ｃ７６に記載の非一時的プロセッサ可読記憶媒体。
［Ｃ７８］
前記記憶されたプロセッサ実行可能命令は、モバイルデバイスプロセッサに、デバイストラフィック非アクティビティタイマの満了に基づいて前記ネットワーク接続の使用がいつ終了したかを決定することが、複数のデバイストラフィック非アクティビティタイマの満了に基づいて、前記ネットワーク接続の使用がいつ終了したかを決定することを備えるような動作を実行させるように構成され、ここにおいて、前記複数のデバイストラフィック非アクティビティタイマの各々が、前記モバイルデバイス上で実行している異なるアプリケーションの非アクティビティのタイミングをとる、
Ｃ７６に記載の非一時的プロセッサ可読記憶媒体。
［Ｃ７９］
前記記憶されたプロセッサ実行可能命令は、モバイルデバイスプロセッサに、前記複数のデバイストラフィック非アクティビティタイマのうちの少なくとも１つが、特定のアプリケーションによるネットワークアクティビティイベントの頻度に基づいて選択された前記モバイルデバイス上で実行している前記特定のアプリケーションの非アクティビティのタイミングをとるような動作を実行させるように構成された、
Ｃ７８に記載の非一時的プロセッサ可読記憶媒体。
［Ｃ８０］
前記記憶されたプロセッサ実行可能命令は、モバイルデバイスプロセッサに、２つ以上のアプリケーションが同時に動作しているかどうかを決定することをさらに備える動作を実行させるように構成され、
前記記憶されたプロセッサ実行可能命令は、モバイルデバイスプロセッサに、デバイストラフィック非アクティビティタイマに基づいて前記ネットワーク接続の使用がいつ終了したかを決定することが、２つ以上のアプリケーションが同時に動作しているとき、前記複数のデバイストラフィック非アクティビティタイマのすべてがいつ満了したかを決定することを備えるような動作を実行させるように構成された、
Ｃ７８に記載の非一時的プロセッサ可読記憶媒体。
［Ｃ８１］
前記記憶されたプロセッサ実行可能命令は、モバイルデバイスプロセッサに、前記複数のデバイストラフィック非アクティビティタイマのうちの前記少なくとも２つが異なる持続時間の後に満了するような動作を実行させるように構成され、
前記記憶されたプロセッサ実行可能命令は、モバイルデバイスプロセッサに、
ユーザが前記モバイルデバイスとインタラクションしているかどうかを決定することと、
前記ユーザが前記モバイルデバイスとインタラクションしているかどうかに基づいて、前記複数のデバイストラフィック非アクティビティタイマのうちの１つを選択することと
をさらに備える動作を実行させるように構成された、Ｃ７８に記載の非一時的プロセッサ可読記憶媒体。
［Ｃ８２］
前記記憶されたプロセッサ実行可能命令は、モバイルデバイスプロセッサに、ユーザが前記モバイルデバイスとインタラクションしているかどうかに基づいて前記複数のデバイストラフィック非アクティビティタイマのうちの１つを選択することが、前記ユーザが前記モバイルデバイスとインタラクションしていないと決定したことに応答して、より短い持続時間をもつ前記複数のデバイストラフィック非アクティビティタイマのうちの１つを選択することと、前記ユーザが前記モバイルデバイスとインタラクションしていると決定したことに応答して、より長い持続時間をもつ前記複数のデバイストラフィック非アクティビティタイマのうちの１つを選択することと
を備えるような動作を実行させるように構成された、Ｃ７６に記載の非一時的プロセッサ可読記憶媒体。
［Ｃ８３］
前記記憶されたプロセッサ実行可能命令は、モバイルデバイスプロセッサに、
ユーザが前記モバイルデバイスとインタラクションしているかどうかを決定することと、
前記ユーザが前記モバイルデバイスとインタラクションしているかどうかに基づいて、前記デバイストラフィック非アクティビティタイマの持続時間を設定することと
をさらに備える動作を実行させるように構成された、Ｃ７６に記載の非一時的プロセッサ可読記憶媒体。
［Ｃ８４］
前記記憶されたプロセッサ実行可能命令は、モバイルデバイスプロセッサに、前記ユーザが前記モバイルデバイスとインタラクションしているかどうかに基づいて前記デバイストラフィック非アクティビティタイマの持続時間を設定することが、前記ユーザが前記モバイルデバイスとインタラクションしていないとき、前記ユーザが前記モバイルデバイスとインタラクションしているときよりも、前記デバイストラフィック非アクティビティタイマの短い持続時間を設定することを備えるような動作を実行させるように構成された、
Ｃ８３に記載の非一時的プロセッサ可読記憶媒体。
［Ｃ８５］
前記記憶されたプロセッサ実行可能命令は、モバイルデバイスプロセッサに、
前記アプリケーションが前記ワイヤレス電気通信ネットワークを介した永続的エンドツーエンド接続を有するかどうかを決定することと、
ｉ）前記アプリケーションが永続的接続を有しないと決定したこと、およびｉｉ）前記接続が解放されるべきであることを示す信号を前記アプリケーションから受信したことに応答して、前記ワイヤレス電気通信ネットワークへの前記接続解放メッセージの送信を短い遅延だけ遅延させることと
をさらに備える動作を実行させるように構成された、Ｃ７６に記載の非一時的プロセッサ可読記憶媒体。
［Ｃ８６］
前記記憶されたプロセッサ実行可能命令は、モバイルデバイスプロセッサに、
前記接続が解放されるべきであることを示す信号を前記アプリケーションから受信することと、
前記接続が継続中のサービスのために使用されているかどうかを決定することと、
前記接続が継続中のサービスのために使用されていると決定したことに応答して、前記継続中のサービスのための次回の周期イベントが、ネットワーク非アクティビティタイマのネットワークタイムアウト時間の後に行われるようにスケジュールされるかどうかを決定することと、
前記次回の周期イベントが前記ネットワークタイムアウト時間の後に行われると決定したことに応答して前記接続解放メッセージを送ることと
をさらに備える動作を実行させるように構成された、Ｃ８５に記載の非一時的プロセッサ可読記憶媒体。
［Ｃ８７］
前記記憶されたプロセッサ実行可能命令は、モバイルデバイスプロセッサに、前記デバイストラフィック非アクティビティタイマを更新することが、
スライディング時間ウィンドウ中に前記アプリケーションによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って前記デバイストラフィック非アクティビティタイマの値を更新することと
を備えるような動作を実行させるように構成された、Ｃ７６に記載の非一時的プロセッサ可読記憶媒体。
［Ｃ８８］
前記記憶されたプロセッサ実行可能命令は、モバイルデバイスプロセッサに、前記ワイヤレス電気通信ネットワークまでのラウンドトリップ時間に基づいて前記トラフィック間間隔統計値を調整することをさらに備える動作を実行させるように構成された、
Ｃ８７に記載の非一時的プロセッサ可読記憶媒体。
［Ｃ８９］
前記記憶されたプロセッサ実行可能命令は、モバイルデバイスプロセッサに、前記デバイストラフィック非アクティビティタイマを更新することが、
スライディング時間ウィンドウ中にアプリケーションのグループによるアプリケーショントラフィックをモニタすることと、
前記スライディング時間ウィンドウ内の前記アプリケーショントラフィックに基づいてトラフィック間間隔統計値を計算することと、
前記計算されたトラフィック間間隔統計値に従って、アプリケーションの前記グループに関連する前記デバイストラフィック非アクティビティタイマの値を更新することと
を備えるような動作を実行させるように構成された、Ｃ７６に記載の非一時的プロセッサ可読記憶媒体。
［Ｃ９０］
前記記憶されたプロセッサ実行可能命令は、モバイルデバイスプロセッサに、前記デバイストラフィック非アクティビティタイマを更新することが、
ネットワーク接続解放の前の要求が、ネットワーク接続が解放されるべきであると正しく決定したかどうかを決定することと、
ネットワーク接続解放の前記前の要求が前記ネットワーク接続を早期に解放したと決定したことに応答して、前記デバイストラフィック非アクティビティタイマ値を増加させることと、
前記モバイルデバイスが、前記ネットワーク接続を解放する機会を前に喪失したと決定したことに応答して、前記デバイストラフィック非アクティビティタイマ値を減少させることと
を備えるような動作を実行させるように構成された、Ｃ７６に記載の非一時的プロセッサ可読記憶媒体。
［Ｃ９１］
前記記憶されたプロセッサ実行可能命令は、モバイルデバイスプロセッサに、前記デバイストラフィック非アクティビティタイマを更新することが、ネットワーク接続解放の前の要求が、前記ネットワーク接続が解放されるべきであると正しく決定したと決定したことに応答して、前記デバイストラフィック非アクティビティタイマ値を減少させることをさらに備えるような動作を実行させるように構成された、
Ｃ９０に記載の非一時的プロセッサ可読記憶媒体。
［Ｃ９２］
前記記憶されたプロセッサ実行可能命令は、モバイルデバイスプロセッサに、
ネットワーク接続解放の前記前の要求が前記ネットワーク接続を早期に解放したと決定したことに応答して、前記デバイストラフィック非アクティビティタイマ値を増加させることが、前記デバイストラフィック非アクティビティタイマ値を第１の量だけ増加させることを備え、
前記モバイルデバイスが、前記ネットワーク接続を解放する機会を前に喪失したと決定したことに応答して、前記デバイストラフィック非アクティビティタイマ値を減少させることが、前記デバイストラフィック非アクティビティタイマ値を第２の量だけ減少させることを備えるような動作を実行させるように構成され、
前記第２の量は、前記第１の量よりも小さい、
Ｃ９１に記載の非一時的プロセッサ可読記憶媒体。
［Ｃ９３］
前記記憶されたプロセッサ実行可能命令は、モバイルデバイスプロセッサに、
早期解放判定の目標レートを決定することと、
ネットワーク接続解放結果の１つまたは複数の要求から早期解放判定の観測レートを計算することと、
早期解放判定の前記観測レートと早期解放判定の前記目標レートとの間の差を計算することと、
早期解放判定の前記観測レートと早期解放判定の前記目標レートとの間の前記計算された差に基づいて前記デバイストラフィック非アクティビティタイマを更新することと
さらに備える動作を実行させるように構成された、Ｃ７６に記載の非一時的プロセッサ可読記憶媒体。
［Ｃ９４］
前記記憶されたプロセッサ実行可能命令は、モバイルデバイスプロセッサに、ネットワーク接続解放結果の１つまたは複数の要求から早期解放判定の前記観測レートを計算することが、ネットワーク接続解放の固定数の要求の結果から早期解放判定の前記観測レートを計算することを備えるような動作を実行させるように構成された、
Ｃ９３に記載の非一時的プロセッサ可読記憶媒体。
［Ｃ９５］
前記記憶されたプロセッサ実行可能命令は、モバイルデバイスプロセッサに、ネットワーク接続解放結果の１つまたは複数の要求から早期解放判定の前記観測レートを計算することが、ネットワーク接続解放の過去の要求のすべての結果から早期解放判定の前記観測レートを計算することを備えるような動作を実行させるように構成された、
Ｃ９３に記載の非一時的プロセッサ可読記憶媒体。
［Ｃ９６］
前記記憶されたプロセッサ実行可能命令は、モバイルデバイスプロセッサに、ネットワーク接続解放結果の１つまたは複数の要求から早期解放判定の前記観測レートを計算することが、前記観測時間ウィンドウ内のネットワーク接続解放の要求の結果から早期解放判定の前記観測レートを計算することを備えるような動作を実行させるように構成された、
Ｃ９３に記載の非一時的プロセッサ可読記憶媒体。
［Ｃ９７］
前記記憶されたプロセッサ実行可能命令は、モバイルデバイスプロセッサに、早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に比例して前記デバイストラフィック非アクティビティタイマを更新することを備えるような動作を実行させるように構成された、
Ｃ９３に記載の非一時的プロセッサ可読記憶媒体。
［Ｃ９８］
前記記憶されたプロセッサ実行可能命令は、モバイルデバイスプロセッサに、早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に基づく固定ファクタによって前記デバイストラフィック非アクティビティタイマを更新することを備えるような動作を実行させるように構成された、
Ｃ９７に記載の非一時的プロセッサ可読記憶媒体。
［Ｃ９９］
前記記憶されたプロセッサ実行可能命令は、モバイルデバイスプロセッサに、早期解放判定の前記観測レートと早期解放判定の前記目標レートとの間の前記計算された差に基づいて前記デバイストラフィック非アクティビティタイマを更新することが、早期解放判定の前記観測レートと早期解放判定の前記目標レートとの間の前記計算された前記差に基づく時間変動ファクタによって前記デバイストラフィック非アクティビティタイマを更新することを備えるような動作を実行させるように構成された、
Ｃ９７に記載の非一時的プロセッサ可読記憶媒体。
［Ｃ１００］
前記記憶されたプロセッサ実行可能命令は、モバイルデバイスプロセッサに、前記時間変動ファクタが、早期解放判定の前記観測レートと早期解放判定の前記目標レートとの間の前記差に従って決定されるような動作を実行させるように構成された、
Ｃ９９に記載の非一時的プロセッサ可読記憶媒体。